(57)【要約】【課題】切妻屋根や寄せ棟作りの屋根面の谷に対応した入り隅箇所や、矩形平面ではない建物に掛かる片流れの屋根面にできる入り隅箇所で、内向きとなって直角に屈曲しなければならない雨樋部分が安全に雨水を連通可能とし、仮令大雨でも溢れ出してしまうことなく確実に排水させてしまう新規な構造からなる入り隅用役物雨樋を提供する。【解決手段】一方端が半裁竹割り状断面端縁３１に形成された適宜長さで円弧断面または円弧状断面の樋体３を一対、各々の半裁竹割り断面端縁３１，３１を対向させた状態で直交配置となし、両半裁竹割り状断面端縁３１，３１間に、該半裁竹割り状断面と同一の横長円弧状形状を両端縁に含む円弧状断面で平面二等辺三角形とした別体の隅樋体２を配して水密状且つ滑らかに連結、一体化した入り隅用役物雨樋である。【選択図】    図１
2004238952.tif 000002
【特許請求の範囲】
【請求項１】
一方端が半裁竹割り状断面端縁に形成された適宜長さで円弧断面または円弧状断面の樋体を一対、各々の半裁竹割り断面端縁を対向させた状態で直交配置となし、両半裁竹割り状断面端縁間に、該半裁竹割り状断面と同一の横長円弧状形状を両端縁に含む円弧状断面で平面三角形とした別体の隅樋体を配して水密状且つ滑らかに連結、一体化してなるものとしたことを特徴とする入り隅用役物雨樋。
【請求項２】
一方端が軸線に対して２５ないし４０度程度の範囲内の角度で、且つ溝に対して垂直方向に切断して半裁竹割り状断面端縁に形成された適宜長さで円弧断面または円弧状断面の樋体を一対、各々の半裁竹割り状断面端縁側でその先鋭端を当接状とし、且つその半裁竹割り断面端縁を対向させた状態で直交配置となし、両半裁竹割り状断面端縁間に、該半裁竹割り状断面と同一の横長円弧状形状を両端縁に含む円弧状断面で平面二等辺三角形とした別体の隅樋体を配して水密状且つ滑らかに連結、一体化してなるものとしたことを特徴とする入り隅用役物雨樋。
【請求項３】
一方端が軸線に対して２５ないし４０度程度の範囲内の角度αで、且つ溝に対して垂直方向に切断して半裁竹割り状断面端縁に形成された適宜長さで円弧断面または円弧状断面の樋体を一対、各々の半裁竹割り状断面端縁側でその先鋭端を当接状とし、且つその半裁竹割り断面端縁を対向させた状態で直交配置となし、両半裁竹割り状断面端縁間に、該半裁竹割り状断面と同一の横長円弧状形状を両端縁に含む円弧状断面で、頂角が（９０−２α）となる平面二等辺三角形とした別体の隅樋体を配して水密状且つ滑らかに連結、一体化してなるものとしたことを特徴とする入り隅用役物雨樋。
【請求項４】
一方端が軸線に対して２５ないし４０度程度の範囲内の角度で、且つ溝に対して垂直方向に切断して半裁竹割り状断面端縁に形成された適宜長さで円弧断面または円弧状断面の樋体を一対、各々の半裁竹割り状断面端縁側でその先鋭端を当接状とし、且つその半裁竹割り断面端縁を対向させた状態で直交配置となし、両半裁竹割り状断面端縁間に、該半裁竹割り状断面と同一の横長円弧状形状を両端縁に含む円弧状断面で平面二等辺三角形とした別体の隅樋体を配し、夫々端縁同士を適宜手段によって水密状且つ滑らかに連結、一体化してなるものとしたことを特徴とする入り隅用役物雨樋。
【請求項５】
一方端が軸線に対して２５ないし４０度程度の範囲内の角度で、且つ溝に対して垂直方向に切断して半裁竹割り状断面端縁に形成された適宜長さで円弧断面または円弧状断面の薄鋼板製樋体を一対、各々の半裁竹割り状断面端縁側でその先鋭端を当接状とし、且つその半裁竹割り断面端縁を対向させた状態で直交配置となし、両半裁竹割り状断面端縁間に、該半裁竹割り状断面と同一の横長円弧状形状を両端縁に含む円弧状断面で平面二等辺三角形とした別体の薄鋼板製隅樋体を配し、夫々対峙または重なり状とした端縁同士を熔着、鋲止め、またはその組合せ等適宜手段によって水密状且つ滑らかに連結、一体化してなるものとしたことを特徴とする入り隅用役物雨樋。
【請求項６】
合成樹脂を射出成型することによって一体形成してなるものとした、請求項１ないし３何れか記載の入り隅用役物雨樋。
【請求項７】
一方の樋体が、その半裁竹割り断面端縁近傍から屋根勾配に相当する角度だけ下方に傾斜させて形成し、片流れ状屋根の中途に形成される入り隅箇所に配置、使用するものとした、請求項１ないし５何れか記載の入り隅用役物雨樋。
【発明の詳細な説明】
【０００１】
【発明の目的】
この発明は、切妻屋根、寄せ棟、片流れ等といった様々な形式の屋根の入り隅箇所に配置、使用され、そのままならば軒先きから雨垂れとなって真下に流れ落ちてしまう雨水を軒先きに沿って水平方向に誘導し、まとめて排水してしまうようにする雨樋に関するものであり、特に、切妻屋根や寄せ棟作りの屋根面の谷に対応した入り隅箇所や、矩形平面ではない建物に掛かる片流れの屋根面にできる入り隅箇所で、内向きとなって直角に屈曲しなければならない雨樋部分が安全に雨水を連通可能とし、仮令大雨でも溢れ出してしまうことなく確実に排水させてしまうようにする新規な構造からなる入り隅用役物雨樋を提供しようとするものである。
【０００２】
【従来の技術】
我が国における建築物、特に一般住宅は、切妻屋根や寄せ棟、片流れ、宝形、入母屋等、好みに応じて様々な様式による屋根が採用されてきていて、様式の違いはあっても大部分のそれらの屋根には、軒先からの雨垂れを防止する雨樋が設置されていて、落下する雨水の吹き付けや地面からの撥ね返りによって外壁が汚されてしまったり、人の通行に支障を来してしまうことを防止するようにしてある。
【０００３】
しかし、従前までの雨樋による排水状態は、図９の斜視図に破線矢印で示すように、屋根面６の谷部６１に対応する入り隅箇所６２で、雨樋５に流れ落ちて排水される雨水は、谷部６１を一気に流れ下って連続的に同所の雨樋１に集中して流れ込む状態となることから、雨樋１伝いにどちらかの方向に屈曲しながら流れていた流れが堰止められ、この入り隅付近の雨樋１部分で滞ってしまう傾向となり、それが豪雨のとき等には、大量の雨水が左右の屋根６から谷部６１に集まるようにして流れ込み、それでなくても滞り気味の入り隅の雨樋１からは、滞った雨水に勢い余った雨水が合流することになって溢れ出してしまうという現象が発生しがちであった。
【０００４】
こうした雨水の雨樋からの溢出を防止しようとして、例えば特開２００１−１７３１７４号公報に開示された「雨樋装置」発明では、雨樋の入隅曲り部を水平方向に取り囲んで包囲し、高さ方向には、雨水流路の入隅曲り部の側壁の高さよりも低い位置から側壁の高い位置まで起立させた水返し板を設けるようにすることにより、屋根の谷部を伝わって流れ落ちる雨水を雨樋内に誘導し、雨樋装置を飛び出して庭土を撥ね跳ばし、住宅その他施設を汚してしまったり、庭に無用の穴窪を作ったりすることのないようにしたものであり、特に屋根上の積雪による損傷対策として水返し板を上下動自在とするようにした構造を有するものとなっている。
【０００５】
しかしながら、上記した「雨樋装置」発明に限らず、雨樋から上方に水返し板のような突出部品を設けた構造のものは、屋根の外観を少なからず変えてしまう虞れがあるため、住宅のデザイン上から、排水機能を重視して水返し板を設けるか、または屋根回りの美観を重視して水返し板を隠す構造とするか、あるいは水返し板を持たない雨樋とするかの何れかを選択しなければならないことになってしまい、あらゆる場面に通用するものではないという不都合が生じるものであった。
【０００６】
この発明は、以上のように、雨水の溢出対策として雨樋の縁部に屏風状の水返し板を立設する等という従前からの代表的な対策、手段が、外観上からも、設計施工上や構造上からも不都合があって施工主や施工業者を悩ませてきていたことに鑑み、永年に渡って建築業に携わってきた者の一人として、それら従前からの対策に代わる有効な解決策を見出せないものかという疑問を抱き、逸速くその開発、研究に着手し、長期に渡る試行錯誤と幾多の試作、実験とを繰り返してきた結果、茲に来て遂に新規な構造からなる入り隅用役物雨樋を実現化することに成功したものであり、以下では、図面に示すこの発明を代表する実施例と共に、その構成を詳述することとする。
【０００７】
【発明の構成】
図面に示すこの発明を代表する実施例からも明確に理解されるように、この発明の基本を成す入り隅用役物雨樋は、基本的に次のような構成から成り立っている。
即ち、一方端が半裁竹割り状断面端縁に形成された適宜長さで円弧断面または円弧状断面の樋体を一対、各々の半裁竹割り断面端縁を対向させた状態で直交配置となし、両半裁竹割り状断面端縁間に、該半裁竹割り状断面と同一の横長円弧状形状を両端縁に含む円弧状断面で平面三角形とした別体の隅樋体を配して水密状且つ滑らかに連結、一体化してなるものとした構成を要旨とする入り隅用役物雨樋である。
【０００８】
この基本的な構成の入り隅用役物雨樋を、より具体的なものとして示せば、一方端が軸線に対して２５ないし４０度程度の範囲内の角度で、且つ溝に対して垂直方向に切断して半裁竹割り状断面端縁に形成された適宜長さで円弧断面または円弧状断面の樋体を一対、各々の半裁竹割り状断面端縁側でその先鋭端を当接状とし、且つその半裁竹割り断面端縁を対向させた状態で直交配置となし、両半裁竹割り状断面端縁間に、該半裁竹割り状断面と同一の横長円弧状形状を両端縁に含む円弧状断面で平面二等辺三角形とした別体の隅樋体を配して水密状且つ滑らかに連結、一体化した構成の入り隅用役物雨樋となる。
【０００９】
これを換言すれば、一方端が軸線に対して２５ないし４０度程度の範囲内の角度αで、且つ溝に対して垂直方向に切断して半裁竹割り状断面端縁に形成された適宜長さで円弧断面または円弧状断面の樋体を一対、各々の半裁竹割り状断面端縁側でその先鋭端を当接状とし、且つその半裁竹割り断面端縁を対向させた状態で直交配置となし、両半裁竹割り状断面端縁間に、該半裁竹割り状断面と同一の横長円弧状形状を両端縁に含む円弧状断面で、頂角が（９０−２α）となる平面二等辺三角形とした別体の隅樋体を配して水密状且つ滑らかに連結、一体化した構成からなる入り隅用役物雨樋ということができる。
【００１０】
さらに他の表現によれば、一方端が軸線に対して２５ないし４０度程度の範囲内の角度で、且つ溝に対して垂直方向に切断して半裁竹割り状断面端縁に形成された適宜長さで円弧断面または円弧状断面の樋体を一対、各々の半裁竹割り状断面端縁側でその先鋭端を当接状とし、且つその半裁竹割り断面端縁を対向させた状態で直交配置となし、両半裁竹割り状断面端縁間に、該半裁竹割り状断面と同一の横長円弧状形状を両端縁に含む円弧状断面で平面二等辺三角形とした別体の隅樋体を配し、夫々端縁同士を適宜手段によって水密状且つ滑らかに連結、一体化した構成の入り隅用役物雨樋であるとすることができる。
【００１１】
そして、さらに具体的な構成によるものとすれば、一方端が軸線に対して２５ないし４０度程度の範囲内の角度で、且つ溝に対して垂直方向に切断して半裁竹割り状断面端縁に形成された適宜長さで円弧断面または円弧状断面の薄鋼板製樋体を一対、各々の半裁竹割り状断面端縁側でその先鋭端を当接状とし、且つその半裁竹割り断面端縁を対向させた状態で直交配置となし、両半裁竹割り状断面端縁間に、該半裁竹割り状断面と同一の横長円弧状形状を両端縁に含む円弧状断面で平面二等辺三角形とした別体の薄鋼板製隅樋体を配し、夫々対峙または重なり状とした端縁同士を熔着、鋲止め、またはその組合せ等適宜手段によって水密状且つ滑らかに連結、一体化してなるものとした入り隅用役物雨樋となる。
【００１２】
樋体は、所謂通常の軒先きに使用される円弧断面か、円弧断面よりもつよく彎曲させた溝の深い断面のものや、あるいは弱く彎曲させたやや浅めの断面のものといった円弧状断面のもので、溝の両上端縁は、補強縁として芯金巻込み構造あるいは単なる巻込み構造のものに形成されてなるものであり、所定量の雨水を溢れさせないで流す機能と同時に、この発明の入り隅用役物雨樋を構成したときにその主体をなし、一端は、入り隅に向かってくる、所謂通常の雨樋に重ね継ぎするための継ぎ手口をなし、他端は、後述する隅樋体と廉潔、一体化するための半裁竹割り状断面端縁を形成するものであり、耐蝕被膜層を有する薄鋼板製か合成樹脂製（但し、射出成形による場合は、後述の隅樋体と一体不可分）のものとなる。
【００１３】
この樋体の他端に設けられる半裁竹割り状断面端縁は、竹材を斜め一刀両断したときに現出する楕円形状の切り口を、さらに切り口長軸に沿って半裁して得られる対称形の横長円弧状形状に似た形状を差しており、３０ないし１００ｃｍ程度にした樋体の軸線に対して２５ないし４０度程度の範囲内、望ましくは３０度前後の角度αで、且つ溝に対して垂直方向に切断した切り口部分であって、同様にして形成したものをもう一本の都合二本を、各々の半裁竹割り状断面端縁頂部を当接させ、且つ当該半裁竹割り状断面端縁同士を対向状にして直交配置するものであり、このように配された両半裁竹割り状断面端縁間には、平面形で、当接箇所を（９０−２α）度とする頂角の頂部で、該頂角を挟む二辺が半裁竹割り状断面端縁とする二等辺三角形の空隙が構成されることとなって、下記の隅樋体で埋めることになる。
【００１４】
隅樋体は、溝を真上に向けて直交配置とした上記二本の樋体で、対向状となる半裁竹割り状断面端縁が、平面形で頂角を挟む二辺となる二等辺三角形の空隙部分に配されるようにするものであり、各樋体の溝形状に隙間なく、且つ円滑に連結するものとしなければならないことから、上記した平面形二等辺三角形の空隙部分の（９０−２α）度の頂角を二等分して底辺に直交する線上の断面形で横長円弧状の溝には、半裁竹割り状断面端縁と同一形状を含まれていなければならない、換言するならば、軸心に（９０−２α）／２度、即ち（４５−α）度傾斜させた断面に半裁竹割り状断面端縁と同一形状を含んだものに形成する横長円弧状溝のものとしなければならず、該横長円弧状溝に形成したものを、軸線に直交するようにして、平面形で先の（９０−２α）度を頂角とし、その頂部が横長円弧状溝の何れか一方の上端縁に掛かる二等辺三角形に裁断することによって得られるものである。
【００１５】
この隅樋体は、屋根の入り隅で、従前までであれば、単に二本の所謂通常の樋体が、直角に当接する部分を互いに４５度に切り欠いて当接、熔着するか、合成樹脂製であれば、その突き合わせて直交する溝を構成するように射出成形された役物を介在させて通常の樋体を接続する図１０に示すようにしただけであって、丁度９０度なす角の部分も殆ど樋体の溝巾と変らない（正確には、４５度で当接させた部分だけ溝巾の約１．４倍となるが、溝としては変らない）のに対して、屋根の谷から流入する雨水と、それに合流する通常の樋体を流れる雨水とを、十分な容量をもって受け流し、角曲りにおける雨水の溢れ出しを防止するという機能を果たすものであり、当該屋根谷部に集められて流れ下る雨水を溢れさせることなく受け止められるように樋面積を拡大すると共に、直交状に接続された樋体間の雨水の流れを緩やかな角度で誘導し、より円滑に軒先角部を回って流れ下るように設定したものとしなければならない。
【００１６】
樋体および隅樋体は、何れも耐蝕被膜を有するようにした金属板製とし、樋体の半裁竹割り状断面端縁に隅樋体を鑞付けする場合には、十分な強度と耐久性を得る目的から、隅樋体の流路両端となる端縁に、複数の連結代を一体に形成し、これら連結代を樋体の連結部分に重ね合わせるようにして鑞付けするのが望ましく、これら複数形成された連結代を、樋体半裁竹割り状断面端縁の表裏に挟み付けるようにして流路表裏面の双方から鑞付けすることにより、連結強度を高めることができる外、連結代と樋体との重ね合わせ部分にリベットを貫通させ、さらに強く一体化させたものとする外、合成樹脂による射出成形によるものとすることが可能である。
【００１７】
なお、入り隅用役物雨樋の流路断面形状は、一般的な雨樋と同様に円弧断面あるいは円弧状断面とする外、矩形状、六角形等多角形を半裁したもの等、設置対象の家屋や屋根の形状および形式等に応じて自由に選択、採用することが可能であり、必要があれば、雨水の跳ね返りや、野鳥の巣、木の葉、ゴミ等の流入による詰まり、あるいは雨水の撥ね上がり等を防止するために筒型の網を内側に装着することも可能である。
以下では、図面に示すこの発明を代表する実施例と共に、その構造について詳述することとする。
【００１８】
【実施例１】
図３の入り隅用役物雨樋の斜視図に示される事例は、屋根谷部における入り隅箇所の軒下側に配置可能な頂角を形成し、雨水が該屋根谷部を流下する方向に向けて雨水の集流面積を次第に広げるよう形成された隅樋体２を設けると共に、該隅樋体２の流路両端を、樋体３，３の半裁竹割り状断面端縁３１，３１に連結、一体化したこの発明の基本的構成を兼ね備えた入り隅用役物雨樋の代表的な一実施例を示すものである。
【００１９】
当該入り隅用役物雨樋１は、平面形状が略二等辺三角形に形成された隅樋体２と、その流路両端に連結される樋体３，３とからなり、硬質塩化ビニルやＡＢＳ樹脂等の合成樹脂成型品として一体成型する外、隅樋体２の流路両端を夫々樋体３，３の半裁竹割り状断面端縁３１，３１に鑞付けして連結、一体化して形成するものとして耐蝕被膜処理された薄鋼板や、銅板、ステンレス、アルミニウム等の薄金属板製のものとすることも可能であり、以下に板金加工によって製造されたものの構造を示す。
【００２０】
樋体３は、溝巾約１０ｃｍ程で円弧状断面の通常の雨樋を約３０ｃｍ程度の長さにしたものを２本、夫々溝を真上に向けて平置きした状態で、平面形で一端側を軸線に対して略３０度傾けて、一方は斜下に、片方は斜上に傾斜した半裁竹割り状断面端縁３１，３１となるように、溝面に垂直に裁断して対称なものとなし、それら半裁竹割り状断面端縁３１，３１を形成した樋体３，３を、図１の平面図に示すように、頂部を当接した状態であって互いの半裁竹割り状断面端縁３１，３１が対向状となるようしたまま直交配置とし、両半裁竹割り状断面端縁３１，３１間に、頂角を（９０−２α）とし、この頂角を挟む二辺を半裁竹割り状断面端縁３１，３１とした二等辺三角形の空隙が残るようにする。
【００２１】
これに対し、隅樋体２は、二本の当該樋体３，３の対向する半裁竹割り状断面端縁３１，３１間の上記空隙に嵌まるよう、亜鉛メッキ薄鋼板を略二等辺三角形に切り出した後に、その底辺部分を湾曲状に立ち上げて横長円弧状断面のものとすると共に、略二等辺三角形の底辺側に相当する同縁部を細管状に折曲して補強縁部２２に形成したものとし、樋体３，３の両半裁竹割り状断面端縁３１，３１間の空隙に配した上、流路両端と夫々対峙する両半裁竹割り状断面端縁３１，３１の端縁を当接して鑞付けによって連結、一体化することにより、水密状としたものにしてあり、樋体３，３およびこの隅樋体２で形成された入り隅用役物雨樋１は、コーナーを広げたＬ字形の溝を有し、その上端にはＬ字形と隅取りＬ字形の連続する補強縁部３２，３２、および３２，２２，３２が形成されたものとなる。
【００２２】
なお、この入り隅用役物雨樋１と同形状のものを合成樹脂成形品として製造する場合には、隅樋体２および樋体３，３の各補強縁部２２，３２は、上記と違って肉厚状のものに形成するか、芯金を埋入した構造のもの等として補強した上端となるようにしたものとするとともに、隅樋体２および樋体３，３は、別体として成形するのではなく、射出成型によって連続したものに製造するのが好ましい。
【００２３】
【実施例２】
図４の入り隅用役物雨樋の斜視図、および図５の分解状態にある入り隅用役物雨樋の斜視図に示してある事例は、この発明に包含される他の実施例を示すものであり、亜鉛メッキ薄鋼板によって製造される入り隅用役物雨樋が、その強度と耐久性とを向上させるようにしたものの代表的な一事例である。
なお、この例による入り隅用役物雨樋１は、その隅樋体２および樋体３，３の基本形状が、前記実施例１（図３）に示したものと略同様であり、したがって、以下では、それとは構造を異にしている隅樋体２と樋体３，３との連結部分についてだけを示すこととする。
【００２４】
図４および図５に示すとおり、隅樋体２の平面形状略二等辺三角形の斜辺部分に相当する流路両端には、夫々各斜辺部分を二分割した二箇所に渡り、突設状となる二つの連結代２３，２４が形成され、頂部２１側の連結代２３を樋体３の下側面に連結状とし、補強縁部２２側の連結代２４を樋体３の上側面に連結状として上下から樋体３を挟込み状とした上、上下両側の連結部分とも水密状に鑞付けして強固に連結、一体化したものとしてある。
【００２５】
さらに、図４および図５中に鎖線円で示したように、隅樋体２の連結代２４，２４と、これに重ね合わせた樋体３，３とを肉厚方向に貫通するリベット孔４を穿孔し、図示しないリベットを装着してさらに強固に連結、一体化させたものとすることも可能である。
【００２６】
【実施例３】
図６の斜視図に示す入り隅用役物雨樋の事例は、この発明に包含されるさらに他の実施例を示すものであり、隅樋体２流路両端の夫々に連結される樋体３，３の中の何れか一方を、取付け対象となる屋根の傾斜角度に略一致する角度で傾斜させたものとすることにより、片流れ屋根の中途に形成される入り隅箇所に採用、配置するようにしたものである。
【００２７】
この入り隅用役物雨樋１の構造は、前記した実施例１（図１）に示したものと基本的に同様のものであり、一方の樋体３の形状だけが異なっている。
即ち、当該入り隅用役物雨樋１が形成する流路の下流側となる樋体３は、図６中に示すとおり、その半裁竹割り状断面端縁３１の近傍で、該樋体３が形成する流路軸線に略直交する辺りを境目にして下向きに傾斜させるようにしたものであって、対象となる屋根勾配と同じ角度、例えば３寸勾配の片流れ屋根における入り隅に採用するとすれば、これと同じ３寸勾配に傾斜させるように設定するようにするものであり、予め代表的な屋根勾配の種類に応じた角度に夫々設定された数種類の入り隅用役物雨樋１を製造して用意したものとすれば、好都合のものとなる。
【００２８】
なお、この実施例においては、下流側となる樋体３に適用屋根勾配に等しい下り傾斜を予め付けて固定したものの事例としているが、場合によっては、この入り隅用役物雨樋１の、隅樋体２と傾斜をつける部分の樋体３との間に、雨流れを疎外しない程度の起伏形状とした蛇腹状の可変部分を形成してなる中途部分を介在、形成し、現場において取り付ける際に、屋根勾配に合わせて変形させて適宜角度調節できるようにしたものとすることも可能であって、この発明に包含されている。
【００２９】
【作用】
以上のとおりの構成からなるこの発明の入り隅用役物雨樋１は、図１ないし３、または図４ないし５に示したように形成し、図７の屋根谷部の入り隅箇所に配したものの斜視図に示すとおり、複雑な形状の屋根６に形成された谷部６１の入り隅箇所６２に取付け、頂部２１を軒下側に配置し、隅樋体２両側の樋体３，３の夫々に、該谷部入り隅箇所６２を挟んで配されることとなる、軒先に沿って取り付けられた通常の雨樋５，５の、入り隅箇所６２に向かう一方端５１，５１を夫々水密状に接続することにより、図７中破線矢印に示されるように、屋根６の平面部分に沿って流れる雨水が、夫々軒先に沿う左右の雨樋５，５に流れ落ちて左右何れかに流れてる当該入り隅用役物雨樋１を経由すると共に、当該入り隅用役物雨樋１には、直接、左右側の屋根６から谷部６１に流れ込んで集まった雨水が注ぎ込み、同所において合流する形となる。
【００３０】
こうして、入り隅用役物雨樋１には、屋根谷部６１を勢いよく流れ落ちる雨水と、通常の雨樋５，５を流れる雨水とが集まることとなるが、図３（図５、ず６）のように、樋体３，３との間に、雨水の集流面積を次第に広げるようにして、平面形略二等辺三角形状とした隅樋体２が配され、しかも、隅樋体２の補強縁部２２が、流路の曲り方向に向けて流路面積を拡大した形状となっているので、雨水を溢れさせることなく受け止め、左右何れか一方の下流側の雨樋５に円滑に通過させることが可能となる。
【００３１】
また、図６の入り隅用役物雨樋１を、図９の片流れ状屋根の入り隅箇所に設置された入り隅用役物雨樋の斜視図に示すように、片流れ屋根６の中途に形成された入り隅箇所６２に取り付けて、入り隅用役物雨樋１および上流側の樋体３に接続された雨樋５を軒先に沿って配設し、他方の下方に向けて傾斜した樋体３に、ケラバに沿って配設した雨樋５の上側端５１を接続し、図中に破線矢印で示されるように、屋根６から入り隅箇所６２に続く軒先およびケラバ付近から流れ落ちる雨水を雨樋５，５および入り隅用役物雨樋１に受けることが可能となり、しかも、図６に示すように、隅樋体２によって入り隅用役物雨樋１の流路断面積が曲り角の内側に拡大され、補強縁部２２によって雨樋５，５の上流から下流へ緩やかな角度で曲がる流路が形成されたことにより、入り隅用役物雨樋１付近への雨水の集中を防止し、溢出の発生を防ぐものとなる。
【００３２】
【効果】
以上のとおり、この発明の入り隅用役物雨樋によれば、何よりも先ず、雨水が屋根を流下する方向に向けて雨水の集流面積を次第に広げた隅樋体を介在したものにしてあり、屋根谷部を勢いよく流れ落ちる雨水を十分な容量で受け止めるようにし、入り隅用役物雨樋自体を乗り越えて溢れ出し、庭に落下してしまったり、その撥ね返りによって家屋外壁を汚してしまうことを防止できる上、流路両端に接続された雨樋の上流側から流れ込む雨水を円滑に下流側の雨樋に流下させることができるようになり、したがって、従前までのような水返し板や、そのための雪避け構造等を必要とせず、屋根回りの外観も損ねることがないものとなって、あらゆる様式の家屋に幅広く採用することができるという秀れた特徴を発揮するものである。
【００３３】
特に、実施例に説明した入り隅用役物雨樋１は、上記した特徴に加え、図４および図５に示したように、隅樋体２の流路両端の夫々に形成した二つの連結代２３，２４によって樋体３の連結縁を上下から挟込み状に鑞付けしてなるものとしたから、仮令降雪地帯であっても長年の使用に耐えるだけの連結強度を得ることができるものとなり、さらに、連結代２４およびこれに重ね合わせた樋体３に上下に貫通するリベット孔４を穿孔し、図示しないリベットを装着したものとすれば、なお一層高い強度を兼ね備えたものとすることができ、より寒冷地に適した入り隅用役物雨樋１となる。
【００３４】
また、図５および図８に示したように、入り隅用役物雨樋１の流路下流側となる樋体３を、屋根勾配に一致させるよう傾斜させたものでは、片流れ屋根６の入り隅箇所にも設置可能なものとなって、雨樋と略同じ流路断面積に設定されてなる、図９中に示した従前までの入り隅用役物雨樋１に比較し、入り隅用役物雨樋１中における雨水の流れを円滑なものにすることができて雨水の溢出防止効果が一層高められるという利点を得ることができるものとなる。
【００３５】
叙述の如く、この発明の入り隅用役物雨樋は、その新規な構成によって所期の目的を遍く達成可能とするものであり、しかも構造が簡素で製造も容易なことから、従前までのものに比較して格段に低廉な価格にて提供可能とするものであり、取付け作業や維持管理も従来型の雨樋と同様なので負担は変らず、費用の削減と工期の短縮とに大いに役立つものとなる上、屋根周りの外観を損ねることもないので適用範囲も広くなって、建設費用の削減とメンテナンス性の向上とが求められ、多様なニーズに応えていかなければならない建築業界において高く評価され、広範に渡って利用、普及していくものになると予想される。
【図面の簡単な説明】
図面は、この発明の入り隅用役物雨樋の技術的思想を具現化した代表的な幾つかの実施例を示すものである。
【図１】基本的な構造からなる入り隅用役物雨樋の平面図である。
【図２】同正面図である。
【図３】同斜視図である。
【図４】他の例による入り隅用役物雨樋の斜視図である。
【図５】同分解斜視図である。
【図６】さらに他の例による入り隅用役物雨樋を示す斜視図である。
【図７】入り隅用役物雨樋の配置状態を示したものの斜視図である。
【図８】片流れ屋根に配した状態を示す斜視図である。
【図９】従前までの入り隅用役物雨樋の配設状態を示す斜視図である。
【符号の説明】
１      入り隅用役物雨樋
２      隅樋体
２１    同  頂角
２２    同  補強縁部
２３    同  連結代
２４    同  連結代
３      樋体
４      リベット孔
５      雨樋
５１    同  連結口
６      屋根
６１    同  谷部
６２    同  入り隅箇所
【図１】
2004238952.tif 000003
【図２】
2004238952.tif 000004
【図３】
2004238952.tif 000005
【図４】
2004238952.tif 000006
【図５】
2004238952.tif 000007
【図６】
2004238952.tif 000008
【図７】
2004238952.tif 000009
【図８】
2004238952.tif 000010
【図９】
2004238952.tif 000011
【手続補正書】
【提出日】平成15年2月7日(2003.2.7)
【手続補正１】
【補正対象書類名】図面
【補正対象項目名】全図
【補正方法】変更
【補正の内容】
【図１】
2004238952.tif 000012
【図２】
2004238952.tif 000013
【図３】
2004238952.tif 000014
【図４】
2004238952.tif 000015
【図５】
2004238952.tif 000016
【図６】
2004238952.tif 000017
【図７】
2004238952.tif 000018
【図８】
2004238952.tif 000019
【図９】
2004238952.tif 000020